(57)【要約】【課題】標準速度と異なる速度で信頼性の高い記録処理を行う光ディスク装置及び光ディスク記録方法と光ディスクを提供する。【解決手段】光ディスクＤ上に標準速度とは異なる所定速度で試し記録を行う試し記録機能と、光ディスク上の所定情報を再生しこの再生振幅を検出し、先の試し記録した情報を再生しこの再生振幅を検出して両者の振幅を比較する比較機能と、この比較結果に応じて適正な記録パワーを決定し、この記録パワーにより所定速度によって記録処理を行う記録機能とを有する光ディスク装置であり、記録速度可能情報ＲＣＩや記録履歴情報ＲＨＩを用いることができる。【選択図】　　図１
2004022039.tif 000002
【特許請求の範囲】
【請求項１】
光ディスク上に所定速度で試し記録を行う試し記録手段と、
前記光ディスクの所定情報を再生しこの信号の振幅を検出し、前記試し記録手段が記録した情報を再生しこの信号の振幅を検出し、両者の振幅を比較する比較手段と、
前記比較手段の比較結果に応じて、前記所定速度に適正な記録パワーを決定する決定手段と、
前記決定手段が決定した前記記録パワーにより、前記試し記録手段での前記所定速度によって、前記光ディスクに対して記録処理を行う記録手段と、
を具備することを特徴とする光ディスク装置。
【請求項２】
前記光ディスクが使用可能な記録速度に関する記録可能速度情報を前記光ディスクから読み出し、これに応じて、前記試し記録手段と前記記録手段の前記所定速度を決定する速度決定手段を更に有することを特徴とする請求項１記載の光ディスク装置。
【請求項３】
前記光ディスクが使用可能な記録速度に関する記録可能速度情報を前記光ディスクから読み出し、読み出された前記記録可能速度情報の中からユーザが指定した速度を、前記試し記録手段と前記記録手段の前記所定速度として決定する速度決定手段を更に有することを特徴とする請求項１記載の光ディスク装置。
【請求項４】
前記試し記録手段が記録した情報を再生しこの信号のアシンメトリを検出し、これに基づいて前記所定速度に適正な記録波形幅を決定する手段を更に有することを特徴とする請求項１記載の光ディスク装置。
【請求項５】
前記光ディスクから記録履歴情報を読み出し、この中に前記所定速度で記録処理した際の記録パワー情報がある場合は、前記試し記録手段と前記比較手段と前記決定手段との各処理を行わずに、前記記録履歴情報中の前記記録パワー情報に応じて前記所定速度によって、前記光ディスクに対して記録処理を行うことを特徴とする請求項１記載の光ディスク装置。
【請求項６】
前記記録手段が記録処理を行った後に、この記録処理で使用した少なくとも前記記録パワーを前記所定速度に対応させて、記録履歴情報として前記光ディスクに記録する履歴手段を更に有することを特徴とする請求項１記載の光ディスク装置。
【請求項７】
前記記録手段が記録処理を行った後に、この記録処理で使用した記録ストラテジを前記所定速度に対応させて、記録履歴情報として前記光ディスクに記録する履歴手段を更に有することを特徴とする請求項１記載の光ディスク装置。
【請求項８】
前記記録手段が記録処理を行った後に、この記録処理で使用した記録パワーと記録波形幅とを前記所定速度に対応させて、使用したドライブ毎に、記録履歴情報として前記光ディスクに記録する履歴手段を更に有することを特徴とする請求項１記載の光ディスク装置。
【請求項９】
光ディスクに格納された記録可能速度情報を再生する再生手段と、
前記再生手段が再生した前記記録可能速度情報が示す複数の記録可能速度の内の一つを記録速度として決定する決定手段と、
前記決定手段が決定した前記記録速度により前記光ディスクに対して記録処理を行う記録手段と、
を具備することを特徴とする光ディスク装置。
【請求項１０】
光ディスク上に所定速度で試し記録を行う試し記録工程と、
前記光ディスクの所定情報を再生しこの信号の振幅を検出し、前記試し記録工程で記録した情報を再生しこの信号の振幅を検出し、両者の振幅を比較する比較手段と、
前記比較工程の比較結果に応じて、前記所定速度に適正な記録パワーを決定する決定工程と、
前記決定工程で決定した前記記録パワーにより、前記試し記録工程での前記所定速度によって、前記光ディスクに対して記録処理を行う記録工程と、
を具備することを特徴とする光ディスク記録方法。
【請求項１１】
管理情報を記録する管理領域とコンテンツ情報を記録する記録領域とを有する光ディスクであって、該光ディスクが記録処理の際に使用可能な速度に関する記録可能速度情報が前記管理領域に記録されていることを特徴とする光ディスク。
【請求項１２】
過去の記録処理で使用した記録速度とこの時の記録ストラテジとを含む記録履歴情報が前記管理領域に更に記録されていることを特徴とする請求項１１記載の光ディスク。
【請求項１３】
記録処理で使用した記録速度とこの時の記録ストラテジとを含む記録履歴情報が、使用したディスク毎に前記管理領域に更に記録されていることを特徴とする請求項１１記載の光ディスク。
【発明の詳細な説明】
【０００１】
【発明の属する技術分野】
この発明は、ＤＶＤ−Ｒ、ＤＶＤ−ＲＷ、ＤＶＤ−ＲＡＭ等の光ディスクを扱う光ディスク装置に関し、特に記録信号が許容範囲の振幅をもつように記録速度に応じた記録パワーを提供する光ディスク装置及び光ディスク記録方法と光ディスクに関する。
【０００２】
【従来の技術】
最近、光ディスク応用技術として、特に、ＤＶＤ（Ｄｉｇｉｔａｌ　Ｖｅｒｓａｔｉｌｅ　Ｄｉｓｋ）が再生専用媒体だけではなく、記録媒体としても普及が進んできており、より高い汎用性が要望されている。ＤＶＤに関する従来技術として、例えば、特開平１０−２１４４５７号公報、特開２０００−１３７９５２号公報、特開２０００−１７５１５０号公報がある。
【０００３】
特開平１０−２１４４５７号公報においては、ＤＶＤ−ＲＡＭ（Ｒａｎｄｏｍ　Ａｃｃｅｓｓ　Ｍｅｍｏｒｙ）にデータを記録する方法が示されており、記録しようとするファイルをデータブロック４００，５００単位にＥＣＣエンコーディング及び変調する段階（ａ）と、段階（ａ）によりＥＣＣエンコーディング及び変調されたデータブロック４００，５００をデータが記録されていないＤＶＤ−ＲＡＭの記録領域に記録する段階（ｂ）とを含む構成が示されている。
【０００４】
又、特開２０００−１３７９５２号公報においては、記録や再生時におけるエラー訂正等が示されており、例えば１６セクタで１ＥＣＣブロックを形成し、例えばＭＰＥＧ圧縮した映像等のデータを記録するときには、１６ＥＣＣブロックおきに１セクタのリンキングセクタ（Ｘ）を配置する。再生時には、ＥＣＣブロック毎にエラー訂正処理が行われ、リンキングセクタは読み飛ばされる場合が示されている。
【０００５】
又、特開２０００−１７５１５０号公報においては、転送レートの変化に対応した記録再生方法が示され、チューナなどからの画像と音声の情報（ＡＶ情報）の記録や、外部出力端子などに対する、記録したＡＶ情報の再生を同時に行うことができる第１の記録再生装置が示され、さらに第１の記録再生装置からＤＶＤ−ＲＡＭなどの低速装置である第２の記録再生装置へ所望のＡＶ情報をダビングする機能を有し、第１の記録再生装置の利用可能な転送レートと第２の記録再生装置の利用可能な転送レートを比較し、遅い方の転送レートを出力する比較器が示されており、遅い方の転送レートにあわせてＡＶ情報の転送速度を制御してダビングを実施することができる。
【０００６】
しかしながら、これらのＤＶＤを扱う光ディスク装置の従来技術においては、通常より線速度を上げて記録したい場合の対応については言及されていない。
【０００７】
【発明が解決しようとする課題】
すなわち、従来技術においては、ＤＶＤ−Ｒ，ＲＷ等への記録線速度は３．４９ｍ／ｓと規格書（ＤＶＤ−ＲのＢＯＯＫ，ＤＶＤ−ＲＷのＢＯＯＫ）で定められている。従って、ユーザがこれ以外の記録線速度で記録を行うことを望んだとしても、標準の線速度以外の線速度で記録する方法がわからないという問題がある。
【０００８】
本発明は、標準速度と異なる速度で信頼性の高い記録処理を行う光ディスク装置及び光ディスク記録方法と光ディスクを提供することを目的とする。
【０００９】
【課題を解決するための手段】
本発明は上記課題を解決するべく、光ディスク上に所定速度で試し記録を行う試し記録手段と、前記光ディスクの所定情報を再生しこの信号の振幅を検出し、前記試し記録手段が記録した情報を再生しこの信号の振幅を検出し、両者の振幅を比較する比較手段と、前記比較手段の比較結果に応じて、前記所定速度に適正な記録パワーを決定する決定手段と、前記決定手段が決定した前記記録パワーにより、前記試し記録手段での前記所定速度によって、前記光ディスクに対して記録処理を行う記録手段とを具備することを特徴とする光ディスク装置である。
【００１０】
本発明に係る光ディスク装置は、標準速度とは異なるユーザが希望する所定速度で光ディスクであるＤＶＤに記録処理を行うものである。このとき、再生時に最も問題となる再生信号の振幅を標準速度の再生信号の振幅と同等か、許容範囲のものとするべく、所定速度での試し記録を行い再生信号の振幅を測定する。一方、ディスクに予め記録済みである標準速度で記録した規範となる再生信号の振幅を測定して、所定速度での試し記録の振幅と比較して、許容範囲、つまり、４０％以内等であるかどうかを判断する。これから外れるものであれば、記録パワーの値を異ならせて、再度、試し記録を行い、振幅の比較処理を繰り返す。このような処理を適宜繰り返すことで、再生信号の振幅が許容範囲となる、所定速度に対応した記録パワーを得ることができる。
【００１１】
これにより、本発明に係る光ディスク装置では、標準速度（３．４９ｍ／ｓ）の２倍速や４倍速、８倍速等であっても、再生時に誤識別を起こすことのない適正な振幅の再生信号を得ることができるため、信頼性の高い高速の記録処理を行うことが可能となる。
【００１２】
又、本発明に係る光ディスク装置では、以下の実施形態に示すように、使用可能な速度を示す記録速度可能情報ＲＣＩ（Ｒｅｃｏｒｄｉｎｇ　Ｖｅｌｏｃｉｔｙ　Ｃａｐａｂｉｌｉｔｙ　Ｉｎｆｏｒｍａｔｉｏｎ）や、記録履歴情報であるＲＨＩ（Ｒｅｃｏｒｄｉｎｇ　Ｈｉｓｔｏｒｙ　Ｉｎｆｏｒｍａｔｉｏｎ）を活用して、更に確実な高速の記録処理を行うものである。
【００１３】
【発明の実施の形態】
以下、図面を参照しながら本発明に係る光ディスク装置と光ディスクの一例を詳細に説明する。図５は、本発明に係る光ディスク装置の一例の構造を示すブロック図である。
【００１４】
本発明は、記録用ＤＶＤ等の光ディスクへの記録処理において、任意の記録速度にて記録処理を行う光ディスク装置及び光ディスク記録方法と、この場合の光ディスクを提供するものである。
【００１５】
本発明は、標準速度以外の任意速度で記録処理を行う際に再生時に影響を与える再生信号の振幅を許容範囲とするべく、記録パワーを適正とするために、試し記録を行い記録速度に適応した記録パワーを決定する光ディスク装置及び光ディスク記録方法を提供する。これにより、任意の記録速度においても、標準速度での再生振幅と同等か許容範囲内の再生振幅とすることができるため、任意の速度で信頼性の高い記録処理を行うことができる。
【００１６】
又、本発明は、任意速度での記録処理を確実に行うべく、光ディスク内に記録可能速度情報ＲＣＩ（Ｒｅｃｏｒｄｉｎｇ　Ｖｅｌｏｃｉｔｙ　Ｃａｐａｂｉｌｉｔｙ　Ｉｎｆｏｒｍａｔｉｏｎ）を設け、標準速度以外の速度での記録処理を確実に行う光ディスク及び、これを扱う光ディスク装置及び光ディスク記録方法を提供するものである。
【００１７】
又、本発明は、任意速度での記録処理を確実に行うべく、光ディスク内に記録履歴情報ＲＨＩ（Ｒｅｃｏｒｄｉｎｇ　Ｈｉｓｔｏｒｙ　Ｉｎｆｏｒｍａｔｉｏｎ）を記録し、過去の記録処理の履歴情報を活用して、迅速で確実な標準速度以外の速度での記録処理を行う光ディスク装置及び光ディスク記録方法とこの光ディスクを提供するものである。
【００１８】
＜本発明に係る光ディスク装置＞
本発明に係る光ディスク装置の一例を以下に図面を用いて詳細に説明する。図５は、本発明に係る光ディスクを用いる光ディスク装置の一例を示すブロック図である。
【００１９】
図５に示す光ディスク装置Ａにおいて、ＣＰＵ６２はＲＡＭ６１を作業エリアとして使用し、ＲＯＭ６０に記録された本発明の記録処理を含むプログラムに従って所定の動作を行う。アクチュエータドライバ５３で制御される光ピックアップ５４から出力されたレーザ光は、回転モータ５１で回転される光ディスクＤに照射される。光ディスクＤからの反射光は、ヘッドアンプで電気信号に変えられる。この電気信号は、信号処理部５６に入力される。信号処理部５６には、ＲＦアンプなどが含まれる。
【００２０】
又、サーボ制御系各処理回路５５には、上述した対物レンズ誘導回路やフォーカス制御回路、対物レンズ駆動信号切替器、対物レンズ駆動回路やウォブル（ＷＢ）信号検出部等が含まれており、サーボ制御部５２の働きに応じて、光ディスクの面ぶれを排除して安定したフォーカス引き込み動作等を行う。この動作に併せて、ウォブル信号も検出され、これに応じて生成された書込みクロックは、読取りバッファ５７に供給される。
【００２１】
データ書込み動作時は、データ処理部５８が図示しないライトチャンネル回路で作られた書込みクロックを用いて、インターフェース６５を通して送られてくるデータに誤り検出符号（ＥＤＣ）やＩＤを付加し、サーボ安定の為のデータスクランブル処理を施し、更に誤り訂正符号（ＥＣＣ）を付加し、同期信号を付加すると併せて、同期信号以外を変調して、記録パワー制御部６３に送る。更に、記録パワー制御部６３では、後述する手順により、選ばれた記録速度に最適の記録ストラテジが決定され、これによってレーザダイオード駆動回路６４を用いて光ディスクに信号を記録する。
【００２２】
読出し時は、光ピックアップ５４のヘッドアンプから読出されたＲＦ信号は、最適イコライザを通して、読取りバッファ５７とＰＬＬ回路に送られる。ＰＬＬ回路で作られた読出しクロックで、読取りバッファ５７にチャンネルデータが読み取られる。読み取られたデータは、エンコーダ、デコーダ、ＥＣＣ回路等を含むデータ処理部５８で、同期化されシンボルデータが読出される。その後、誤り訂正やデスクランブル処理が行われ、インターフェース６５を通して外部に転送される。
【００２３】
＜ＲＣＩとＲＨＩ＞
次に、本発明に特有の記録処理のためのパラメータであるＲＣＩとＲＨＩとを説明する。図１は、本発明に係る管理情報であるＲＣＩとＲＨＩとを説明する説明図、図２は、ＲＣＩに関連する最高速度情報が記録されるプリピットデータが格納されるプリピットブロックを示す図、図３は、ＲＣＩとＲＨＩとに用いられる記録速度のコード表、図４は、ＲＨＩのＲＭＡ（Ｒｅｃｏｒｄｉｎｇ　Ｍａｎａｇｅｍｅｎｔ　Ａｒｅａ）への記録の形態を示す説明図である。
【００２４】
記録速度可能情報：ＲＣＩ（Ｒｅｃｏｒｄｉｎｇ　Ｖｅｌｏｃｉｔｙ　Ｃａｐａｂｉｌｉｔｙ　Ｉｎｆｏｒｍａｔｉｏｎ）とは、その光ディスクがどの記録速度で記録可能かどうかを示す情報であり、これは光ディスク出荷時において所定の領域に予め記録されている情報である。
【００２５】
記録履歴情報：ＲＨＩ（Ｒｅｃｏｒｄｉｎｇ　Ｈｉｓｔｏｒｙ　Ｉｎｆｏｒｍａｔｉｏｎ）とは、その光ディスクの過去の記録処理を示す情報であり、使用したドライブ、使用した記録速度、この記録速度に応じた記録ストラテジ、例えば、記録パワーＰや信号波形幅ＷＴ，ＷＭ等を示す情報である。
【００２６】
図１は、これらの記録速度可能情報ＲＣＩ、記録履歴情報ＲＨＩの具体例と、これらが、光ディスクがＤＶＤ−Ｒ、ＤＶＤ−ＲＷ、ＤＶＤ−ＲＡＭであった場合に、各々どこに記録されるかを示している。すなわち、ＤＶＤ−ＲやＤＶＤ−ＲＷでは、ＲＣＩは、一例として、リードインエリア、ＲＨＩは、一例として、ＲＭＡ領域に記録されており、ＤＶＤ−ＲＡＭでは、ＲＣＩとＲＨＩは、一例として、プリピットとリライタブルエリアとのコントロールエリアに記録されている。
【００２７】
ＲＣＩは、そのディスクが記録できる最高速度と、その最高速度よりも下の速度ではどの速度が使用できるか等の情報を一例として示している。これらの速度情報は、図３が示すように、標準速度である３．４９ｍ／ｓの何倍速が可能かということを、コードに対応させて表現しても良い。しかし、使用可能な全ての速度の情報を示すものであってもよい。又、ＲＣＩは、最高速度の情報と、最高速度よりも下の使用可能な速度の組み合わせを示す情報とにより構成されるものであってもよい。図１では、ＲＣＩは、１倍速、２倍速、４倍速、８倍速が使用可能である場合を示している。
【００２８】
尚、ＲＣＩは、一例として、図２のプリピットブロックが示すプリピットデータのどれかとして、最高速度情報や使用可能な速度情報が記録される情報であってもよい。
【００２９】
一方、ＲＨＩは、過去に行われた記録処理の記録速度や記録ストラテジ、即ち記録パワーや記録波形幅等の、記録履歴情報を示すものであり、これは、一例として、図４に示されるように使用したドライブ毎に累積されて更新されていくものである。従って、一つのドライブしか使用しないときは、一つのＲＨＩが履歴情報を累積して更新されていくものである。
【００３０】
＜ＲＣＩを用いた記録速度決定処理＞
次に、本発明に係る光ディスク装置が、光ディスク中に格納された記録速度可能情報ＲＣＩを使用して、標準速度以外の記録速度により記録処理を行うための速度を決定する処理を図６のフローチャートを用いて説明する。図６は、管理情報である記録速度可能情報：ＲＣＩを用いた記録速度決定処理を説明するフローチャートである。
【００３１】
従来のＤＶＤ−Ｒ，ＲＷ等の光ディスク装置では、標準の線速度３．４９ｍ／ｓで記録再生が行われている。本発明に係る光ディスク装置では、この標準速度以外の例えば、その線速度の２倍、４倍等の高線速度での記録を可能とする。図６のフローチャートの処理は、ＲＯＭ６０に格納されたプログラムにより主にＣＰＵ６２の動作により行われる処理であり、光ディスクＤが光ディスク装置のドライバに格納され、記録処理を行うべくユーザからの操作を受けると、その光ディスクが所定回転数で回転され、リードインエリアやコントロールエリア内のＲＣＩが読み出される（Ｓ１１）。ここで、速度選択モードとして、予め、使用可能の速度の中の最高速度を選択する最大速度モードが選ばれていれば（Ｓ１２）、ＲＣＩが示す速度の中の最高速度を記録処理に使用する速度と決定する（Ｓ１５）。
【００３２】
ここで、速度選択モードとして、マニュアルモードが選択されていれば、ＲＣＩが示す速度をコントロールパネルに一覧として、例えば、８倍速、４倍速、２倍速、１倍速等のように表示し、ユーザに選択指示を促す（Ｓ１３）。次に、ユーザが選択画面から選択した記録速度を、使用する記録速度として決定する（Ｓ１４）。
【００３３】
ＲＣＩでは、高線速度の場合だけでなく低線速度が可能な場合の規定も可能である。標準よりデータ転送速度を落として記録したい場合に、低線速度記録は有効である。会議記録やデータ通信記録、監視記録等、低データ転送レートの記録の場合に好適となる。
【００３４】
高線速記録は、データバックアップの時間短縮、デジタルデータ放送の記録など、より高データ転送速度を要求されるアプリケーションに対して有効となる。低速度で記録した場合と高速度で記録した場合とでは、再生信号の振幅が大きく異なると再生が不安定となる。
【００３５】
そこで本発明に係る光ディスク装置では、後述するように、リードインのエンボス領域又はプリ記録領域の再生信号の振幅を基準として、低速又は高速で記録したデータの再生信号振幅が基準信号の所定範囲の許容範囲、例えば、±４０％（又は±２０％）以内となるように記録するべく記録ストラテジを決定する。
【００３６】
＜ＲＨＩを用いた記録ストラテジ決定処理＞
本発明に係る光ディスク装置では、試し記録を行い最適ストラテジを決定し、又は記録履歴情報ＲＨＩを用いて最適ストラテジを決定し、特に再生信号の振幅を許容範囲内に収めることで、標準速度以外の速度での記録処理を高い信頼性をもって行うものである。図７は、管理情報ＲＨＩを用いた記録ストラテジ決定処理を説明するフローチャートである。
【００３７】
本発明に係る光ディスク装置のＲＨＩを用いた記録ストラテジ決定処理は、ＲＯＭ６０に格納されたプログラムにより主にＣＰＵ６２の動作及び記録パワー制御部６３により行われる処理である。図７のフローチャートにおいて、初めに光ディスク内のＲＨＩを読み出してこれを再生する（Ｓ２１）。このＲＨＩ内にこれから使用しようとする記録速度での記録履歴が存在すれば（Ｓ２３）、この記録ストラテジを使用する。即ち、８倍速で記録するとして、先の図６のフローチャートで決定済みであれば、ＲＨＩの中に８倍速での記録履歴があるかどうかを判断し、これがあれば、以下の記録パワーの最適化は行わずに、ＲＨＩの記録ストラテジを使用するものである。
【００３８】
そのような記録履歴がＲＨＩ中になければ、試し記録を行って、記録ストラテジである記録パワーと波形幅とを決定する。即ち、使用する記録速度で試し記録領域ＯＰＣに試し記録を行う（Ｓ２４）。一方で、プリ記録領域又はリードインのエンボス領域又はユーザデータ領域のデータを再生し、その部分の再生振幅の大きさを、基準の振幅として検出する（Ｓ２２）。更に、ＯＰＣ領域（試し記録領域）で試し記録したときの再生振幅の大きさも振幅検出する（Ｓ２５）。
【００３９】
ここで、ＯＰＣ領域で試し記録した記録条件の中で、再生振幅を基準信号の所定範囲に収めることで、再生信号の検出エラーを防止して信頼性の高い記録処理を行うことができる。すなわち、一例として、基準信号の少なくとも±４０％以内の再生振幅となる記録条件の中から最適記録条件を選ぶことが、一定の動作安定性を得るためには好適である。更に良好な再生信号振幅とするためには、再生信号の基準信号の±２０％以内の再生振幅となる記録条件の要件を満足するものであることが必要である。
【００４０】
記録速度が異なる場合、ジッタが最小となる記録条件を選ぶと記録速度によって信号振幅が異なる場合がある。１×で記録した場合に対して、４×では再生信号の振幅が大きくなり、再生のときに信号振幅が異なるため、２値化でエラーとなりやすい。
【００４１】
そこで、プリ記録又はエンボスで記録されているリードイン領域の再生信号を基準として、記録速度が異なる場合でも信号再生、又は、トラッキングに影響しない信号レベル差とすることで、異なる記録速度で記録した領域が混在する場合でも安定した信号再生が可能となる。
【００４２】
即ち、基準信号の±２０（又は４０）％以内に試し記録の再生振幅となるように両者の振幅の比較処理を行い（Ｓ２６）、記録パワーを可変しながら試し記録を繰り返すことで、使用する記録速度に対応する記録パワーが決定される（Ｓ２７）。
【００４３】
決定された記録パワーにおいて、次に、再生信号のアシンメトリが最適となる記録ストラテジ波形を決定する。即ち、波形幅は、３Ｔと１４Ｔの波形の振幅中心が所定の範囲となる記録ストラテジ波形が望ましい。アシンメトリが適正な範囲であるかどうかを判断し（Ｓ２８）、そうでなければ、３Ｔ、１４Ｔの波形幅を可変させ（Ｓ３２）、繰り返し試し記録して判断を繰り返すことにより（Ｓ３３）、最適なアシンメトリを得る波形幅を検出する。これにより、先の記録パワーとこの波形幅とを、記録処理に使用する記録ストラテジと決定する（Ｓ２９）。
【００４４】
そして、特定された記録ストラテジ、即ち、ＲＨＩで検出された記録ストラテジか、記録パワーや波形幅を可変させることで決定された記録ストラテジにより、希望の記録速度において記録処理を行う（Ｓ３０）。記録処理が問題なく遂行されれば、最後に、ここで使用した記録ストラテジを、記録履歴情報：ＲＨＩとして、図４で示すように使用したドライバ毎に光ディスクのＲＭＡやコントロール領域に記録する（Ｓ３１）。
【００４５】
このように、標準速度以外の速度により記録処理を行う際に、その速度に最適の記録ストラテジをＲＨＩから取得し又は試し記録により決定することで、信頼性の高い記録処理を行うことができる。
【００４６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００４７】
【発明の効果】
以上詳述したように本発明によれば、標準速度とは異なった記録速度によっても、信頼性の高い安定した記録処理を行うことができる光ディスク装置及び光ディスク方法と、この光ディスクを提供することができる。
【図面の簡単な説明】
【図１】本発明に係る管理情報であるＲＣＩとＲＨＩとを説明する説明図。
【図２】本発明に係る管理情報であるＲＣＩに関連する最高速度情報が記録されるプリピットデータが格納されるプリピットブロックを示す図。
【図３】本発明に係る管理情報であるＲＣＩとＲＨＩとに用いられる記録速度のコード表。
【図４】本発明に係る管理情報であるＲＨＩのＲＭＡへの記録の形態を示す説明図。
【図５】本発明に係る光ディスク装置の一例の構造を示すブロック図。
【図６】本発明に係る光ディスク装置の管理情報ＲＣＩを用いた記録速度決定処理を説明するフローチャート。
【図７】本発明に係る光ディスク装置の管理情報ＲＨＩを用いた記録ストラテジ決定処理を説明するフローチャート。
【符号の説明】
５１…回転モータ、５２…サーボ制御部、５３…アクチュエータドライバ、５４…ピックアップヘッド、５５…サーボ制御系各処理回路、５６…信号処理部、５７…読み取りバッファ、５８…データ処理部、５９…ＲＡＭ、６０…ＲＯＭ、６１…ＲＡＭ、６２…ＣＰＵ、６３…記録パワー制御部、６４…ＬＤ駆動回路。
【図１】
2004022039.tif 000003
【図２】
2004022039.tif 000004
【図３】
2004022039.tif 000005
【図４】
2004022039.tif 000006
【図５】
2004022039.tif 000007
【図６】
2004022039.tif 000008
【図７】
2004022039.tif 000009